(57)【要約】【課題】  簡易な構成によって、筐体の前面側に固定された前面パネルを筐体から取り外すことができ、かつ、前面パネルの前面側のデザイン上の美観が損ねわれることのない前面パネルのパネル固定機構を提供すること。【解決手段】  筐体の前面側に配置される前面パネル５を筐体に固定するパネル固定機構は、前面パネル５を筐体４に固定する固定ネジ１６と、前面パネル５の前面５ｂ１に配設されたつまみ１４とを備えている。つまみ１４は、筐体に前面パネル５が固定された状態でボリューム１９から取外しが可能に構成されている。また、つまみ１４の後面側に配置された固定ネジ１６は、前面パネル５に形成された挿通孔５ｅ１に挿通され、かつ、挿通孔５ｅ１から抜け落ちないように構成されるとともに、つまみ１４が前面パネル５から取り外されると前面パネル５の前面側に露出されるようになっている。【選択図】      図６
2006318528.tif 000002
【特許請求の範囲】
【請求項１】
所定の作動機構が収納された筐体の前面側に配置される前面パネルを上記筐体に固定するパネル固定機構において、
上記前面パネルを上記筐体に固定する固定ネジと、上記作動機構の所定の操作を行うため、上記前面パネルの前面に配設された操作部材とを備え、
上記固定ネジは、上記前面パネルに形成された挿通孔に挿通され、かつ、該挿通孔から抜け落ちないように構成されるとともに、上記操作部材の後面側に配置され、
上記操作部材は、上記筐体に上記前面パネルが固定された状態で上記前面パネルから取外しが可能に構成され、上記固定ネジは、上記操作部材が上記前面パネルから取り外されると上記前面パネルの前面側に露出されることを特徴とするパネル固定機構。
【請求項２】
前記前面パネルの後面に固定され、前記操作部材が接続される操作基板を備えることを特徴とする請求項１記載のパネル固定機構。
【請求項３】
前記操作基板は、前記筐体側に固定された筐体側基板の筐体側コネクタに接続されるパネル側コネクタを備えることを特徴とする請求項２記載のパネル固定機構。
【請求項４】
前記操作部材は、前記作動機構から発生される音声の大きさを調整する音量調整用のつまみであることを特徴とする請求項１から３いずれかに記載のパネル固定機構。
【請求項５】
請求項１から４いずれかに記載のパネル固定機構を備えることを特徴とするディスク駆動装置。
【発明の詳細な説明】
【技術分野】
【０００１】
本発明は、筐体の前面側に配置される前面パネルを筐体に固定するパネル固定機構およびそれを備えるディスク駆動装置に関する。
【背景技術】
【０００２】
従来から、ＣＤ、ＭＤあるいはＤＶＤ等のディスクに対して記録、再生を行うディスク駆動装置は、ＡＶ機器やパーソナルコンピュータなどに広く用いられている。また、自動車に搭載されるカーナビゲーション装置として、筐体や、筐体の前面側に固定された前面パネルや、前面パネルの後面側に取り付けられ前面から視認可能なディスプレイ等を備えるディスク駆動装置が用いられている。
【０００３】
カーナビゲーション装置で使用されるディスクは、一般に、地図が記憶された地図用のディスク（地図ディスク）である。そのため、カーナビゲーション装置でディスクの交換が行われるのは、使用者が地図をバージョンアップする場合等、多くても１年に数回程度である。したがって、前面パネルに地図ディスクの挿入孔を形成することは、デザイン上好ましくない。そこで、近年では、ディスプレイの後面側に地図ディスクの駆動機構を配置し、筐体に前面パネルが固定された状態（すなわち、筐体にディスプレイが取り付けられた状態）では、地図ディスクの交換が容易にできないように構成されたカーナビゲーション装置も提案されている。すなわち、筐体から前面パネルを取り外して、地図ディスクの交換を行うように構成されたカーナビゲーション装置も提案されている。
【０００４】
この種のカーナビゲーション装置としては、ディスプレイが固定された前面パネルの後面側に地図ディスクの駆動機構を前面パネルと一体に取り付け、地図ディスクの駆動機構（より具体的には地図ディスクが載置されたトレイ）を前面パネルとともに筐体の前面側に引き出すことで、前面パネルを筐体の前面側から取り外して、地図ディスクの交換を行うように構成されたカーナビゲーション装置が知られている（たとえば、特許文献１参照）。この特許文献１に記載されたカーナビゲーション装置では、筐体に対する前面パネルの固定は、回転可能なレバー部材やこのレバー部材に係合する係合部材等から構成されるパネル固定機構によって行われている。また、パネル固定機構による筐体への前面パネルの固定の解除は、前面パネルの前面に配置された解除ボタンによって、レバー部材と係合部材との係合を解除することで行われている。
【０００５】
また、カーナビゲーション装置ではないが、車載用音響装置に用いられるディスク駆動装置として、前面パネルの後面側にディスクの駆動機構を配置し、筐体に前面パネルが固定された状態では、ディスクの交換ができないように構成されたディスク駆動装置も知られている（たとえば、特許文献２参照）。特許文献２に記載されたディスク駆動装置では、モータや歯車等から構成させるパネル駆動機構によって、前面パネルの下端側を前面側に移動させるとともに前面パネルの上端側を筐体の前面に沿って下側に移動させることで、前面パネルを筐体の前面側から取り外して、ディスクの交換が行われるようになっている。また、ディスクの交換が終わるとパネル駆動機構によって、前面パネルが筐体の前面側に固定される。
【０００６】
【特許文献１】特開２００４−２２８４１９号公報
【特許文献２】特開２００４−２１７１８６号公報
【発明の開示】
【発明が解決しようとする課題】
【０００７】
上記の特許文献１に記載されたカーナビゲーション装置では、筐体の前面側に前面パネルの固定するためのパネル固定機構は、回動可能なレバー部材やこのレバー部材に係合する係合部材等の複数の部材から構成されている。そのため、パネル固定機構の構成が複雑になり、その結果、カーナビゲーション装置のコストが高くなる。また、特許文献１に記載のカーナビゲーション装置では、前面パネルの前面に、レバー部材と係合部材との係合を解除する解除ボタンが配置されている。ここで、上述した地図ディスクのように、ディスクの交換頻度が低い場合には、解除ボタンの使用頻度が低いにもかかわらず、前面パネルの前面に解除ボタンを配置することはデザイン上好ましくない。
【０００８】
一方、特許文献２に記載のディスク駆動装置は、特許文献１に記載されたパネル固定機構よりもさらに複雑なパネル駆動機構を備え、このパネル駆動機構によって、前面パネルが筐体の前面側に固定されている。そのため、ディスク駆動装置の構成がさらに複雑化し、その結果、ディスク駆動装置のコストが高くなる。特に、上述した地図ディスクのように、ディスクの交換頻度が低い場合には、前面パネルを駆動するためのパネル駆動機構を設ける必要性が低いにもかかわらず、上述した問題が生じる。
【０００９】
そこで、本発明の課題は、簡易な構成によって、筐体の前面側に固定された前面パネルを筐体から取り外すことができ、かつ、前面パネルの前面側のデザイン上の美観が損ねわれることのない前面パネルのパネル固定機構、および、そのパネル固定機構を備えるディスク駆動装置を提供することにある。
【課題を解決するための手段】
【００１０】
上記の課題を解決するため、本発明は、所定の作動機構が収納された筐体の前面側に配置される前面パネルを筐体に固定するパネル固定機構において、前面パネルを筐体に固定する固定ネジと、作動機構の所定の操作を行うため、前面パネルの前面に配設された操作部材とを備え、固定ネジは、前面パネルに形成された挿通孔に挿通され、かつ、挿通孔から抜け落ちないように構成されるとともに、操作部材の後面側に配置され、操作部材は、筐体に前面パネルが固定された状態で前面パネルから取外しが可能に構成され、固定ネジは、操作部材が前面パネルから取り外されると前面パネルの前面側に露出されることを特徴とする。
【００１１】
本発明において、パネル固定機構は、前面パネルの後面に固定され、操作部材が接続される操作基板を備えることが好ましい。
【００１２】
本発明において、操作基板は、筐体側に固定された筐体側基板の筐体側コネクタに接続されるパネル側コネクタを備えることが好ましい。
【００１３】
本発明において、操作部材は、作動機構から発生される音声の大きさを調整する音量調整用のつまみであることが好ましい。
【００１４】
本発明のパネル固定機構は、筐体と筐体の前面側に固定される前面パネルとを備えるディスク駆動装置に用いることができる。
【発明の効果】
【００１５】
本発明にかかるパネル固定機構では、簡易な構成によって、筐体の前面側に固定された前面パネルを筐体から取り外すことができ、かつ、前面パネルの前面側のデザイン上の美観が損ねわれるのを防止することができる。また、本発明にかかるディスク駆動装置では、簡易な構成によって、筐体の前面側に固定された前面パネルを筐体から取り外すことができ、かつ、ディスク駆動装置の前面側のデザイン上の美観が損ねわれるのを防止することができる。
【発明を実施するための最良の形態】
【００１６】
以下、本発明の一実施の形態にかかるパネル固定機構およびディスク駆動装置を図面に基づいて説明する。
【００１７】
（ディスク駆動装置の概略構成）
図１は、本発明の実施の形態にかかるディスク駆動装置１を示す斜視図である。図２は、図１に示すディスク駆動装置１において、筐体４から前面パネル５を取り外した状態を示す斜視図である。図３は、図１に示すディスク駆動装置１において、地図ディスク２の交換時の状態を示す斜視図である。
【００１８】
本形態のディスク駆動装置１は、ＣＤ、ＭＤ、ＤＶＤ等の光記録媒体であるディスクに記録された情報を再生するものである。より具体的には、本形態のディスク駆動装置１は、地図が記録された地図用のディスク（地図ディスク）２（図３参照）を再生するカーナビゲーション装置である。また、ディスク駆動装置１は、音楽が記録された音楽用のディスク（音楽ディスク）３（図１参照）を再生する音響装置でもある。このディスク駆動装置１は、図１および図３に示すように、直方体の箱状に形成されるとともに前面側が開口する筐体４と、筐体４の前面側に配置される前面パネル５と、地図ディスク２を再生する作動機構としての地図ディスク駆動機構６と、音楽ディスク３を再生する作動機構としての音楽ディスク駆動機構７とを備えている。
【００１９】
前面パネル５は、図１に示すように、通常は、筐体４の前面側に固定されるとともに、図２に示すように、筐体４から取外しが可能となるように構成されている。また、前面パネル５の後面側には、地図ディスク２に記録された地図を表示する表示装置である液晶ディスプレイ９（以下では、ディスプレイ９と表記）が、前面パネル５の前面側から視認できる状態で配設されている。
【００２０】
図２および図３に示すように、ディスプレイ９は、筐体４の前面側に取り付けられた取付金具体１０の前面側に固定されている。この取付金具体１０は、前面パネル５を筐体４の前面側から取り外した状態で、下端側を中心に前面側に揺動（回転）して、前面側に倒れるようになっている。すなわち、取付金具体１０は、筐体４の前面側に対して開閉可能に構成されている。
【００２１】
取付金具体１０には、図２に示すように、音楽ディスク３が通過可能な開口部１０ａが形成されている。また、取付金具体１０の後面側には、取付金具体１０の前面側への回転を規制して、その損傷を防止するための２本のストッパアーム１１、１１が取り付けられている。２本のストッパアーム１１、１１にはそれぞれ、図示を省略するストッパ部が形成されている。そして、このストッパ部が筐体４の内部に形成された当接部（図示省略）に当接することで、取付金具体１０の前面側への回転が規制され、その損傷が防止されるようになっている。
【００２２】
地図ディスク駆動機構６は、図３に示すように、地図ディスク２の挿入、排出を行うためのディスク挿入孔６ａを備えている。同様に、音楽ディスク駆動機構７は、音楽ディスク３の挿入、排出を行うためのディスク挿入孔７ａを備えている。また、地図ディスク駆動機構６と音楽ディスク駆動機構７とは、図３に示すように、筐体４の内部に収納されている。
【００２３】
本形態では、地図ディスク駆動機構６を下側にして、地図ディスク駆動機構６と音楽ディスク駆動機構７とが重なるように、筐体４の内部に、地図ディスク駆動機構６と音楽ディスク駆動機構７とが収納されている。より具体的には、地図ディスク駆動機構６は、取付金具体１０の後面側に配設され、取付金具体１０が閉じた状態では、前面側からディスク挿入孔６ａを視認できない状態で筐体４に収納されている。一方、音楽ディスク駆動機構７は、取付金具体１０が閉じた状態でも、筐体４の前面側から開口部１０ａの奥側にディスク挿入孔７ａを視認できる状態で筐体４に収納されている。また、前面パネル５には、音楽ディスク駆動機構７に対して音楽ディスク３の挿入、排出を行うためのディスク挿入孔５ａが形成されている。このように、本形態のディスク駆動装置１では、前面パネル５が筐体４の前面側に固定された状態では、音楽ディスク３の交換はできるが、地図ディスク２の交換ができないようになっている。すなわち、本形態では、地図ディスク２の交換は、前面パネル５を筐体４から取り外し、取付金具体１０を前面側に倒した状態で行われるように構成されている。
【００２４】
図１に示すように、前面パネル５には、ディスク駆動装置１の所定の操作を行うための操作部材が配設されている。たとえば、操作部材として、地図ディスク駆動機構６および音楽ディスク駆動機構７の相互間の切替操作を行う操作ボタン１２、音楽ディスク駆動機構７の選曲操作を行う操作ボタン１３、および、音楽ディスク駆動機構７や地図ディスク駆動機構６から発生される音声の大きさを調整する音量調整用のつまみ１４が、前面パネル５に配設されている。図１に示すように、操作ボタン１２、１３は、前面パネル５から前面側にわずかに突出するような扁平形状に形成されている。これに対して、つまみ１４は、ユーザが容易につまむことができるように、操作ボタン１２、１３に比べ、前面パネル５の前面側に大きく突出するように形成されている。このつまみ１４は、前面パネル５が筐体４に固定された状態で、前面パネル５から取外しが可能になっている。つまみ１４の詳細な構成については、後述する。
【００２５】
なお、以下では、図１に示すように、ディスク駆動装置１の前後方向をＸ方向、横方向をＹ方向、および上下方向をＺ方向とし、特に、ディスク駆動装置１の前面側に向かう方向をＸ１方向、後面側に向かう方向をＸ２方向、図１の左方向をＹ１方向、図１の右方向をＹ２方向とする。また、Ｘ軸とＹ軸とから形成される平面をＸＹ平面、Ｙ軸とＺ軸とから形成される平面をＹＺ平面、Ｚ軸とＸ軸とから形成される平面をＺＸ平面とする。
【００２６】
（パネル固定機構の構成）
図４は、図１に示す前面パネル５および取付金具体１０の構成を示す分解斜視図である。図５は、図１に示す前面パネル５の後面側を示す図である。図６は、本発明の実施の形態にかかるパネル固定機構の主要部を示す部分拡大断面図である。
【００２７】
筐体４の前面側に取り付けられる取付金具体１０は、図４に示すように、ＹＺ平面と平行に形成された略矩形状の後面部１０ｂと、後面部１０ｂの４辺から前面側（Ｘ１方向）に直立するように形成された４つの側面部１０ｃとを備えた略箱状に形成されている。図４に示すように、４つの側面部１０ｃのうちの２つは、ＸＹ平面と平行に形成され、残りの２つは、ＺＸ平面と平行に形成されている。この取付金具体１０では、ＺＸ平面と平行に形成された２つの側面部１０ｃの下端側が、上述のように、取付金具体１０が前面側（Ｘ１方向）に回転して倒れる際の、回転中心となるように構成されている。また、後面部１０ｂの後面側（Ｘ２方向側）には、図３に示す２本のストッパアーム１１、１１が取り付けられるようになっている。
【００２８】
後面部１０ｂの前面（Ｘ１方向側の面）１０ｂ１の上端側には、上述した開口部１０ａが、Ｙ方向を長手方向とする扁平な細長状に形成されている。ディスプレイ９は、扁平な直方体状に形成されており、後面部１０ｂの前面１０ｂ１に固定されている。より具体的には、ディスプレイ９は、開口部１０ａの下側で、前面１０ｂ１に固定されている。
【００２９】
筐体４の内部には、ディスク駆動装置１を制御する制御基板（図示省略）が配設されている。この制御基板に電気的に接続されるとともに、前面パネル５に固定される後述の操作基板１８に接続される筐体側基板１５が後面部１０ｂの前面１０ｂ１に固定されている。より具体的には、筐体側基板１５は、ディスプレイ９よりもＹ２方向側で、前面１０ｂ１に固定されている。この筐体側基板１５は、矩形状でかつ扁平形状に形成され、筐体４の内部に配設された制御基板と操作基板１８とを電気的に接続するための中継基板となっている。また、筐体側基板１５の前面側（Ｘ１方向側）には、操作基板１８と筐体側基板１５とを電気的に接続するためのコネクタ１５ａ（以下では、筐体側コネクタ１５ａとする。）が固定されている。
【００３０】
後面部１０ｂの前面１０ｂ１には、前面パネル５を筐体４（より具体的には、筐体４に固定された状態の取付金具体１０）に固定するための固定ネジ１６が螺合されるボス１７が固定されている。より具体的には、ボス１７は、ディスプレイ９よりもＹ２方向側で、かつ、筐体側基板１５の下側に固定されている。ボス１７は、図４に示すように略円柱状に形成されている。また、ボス１７の先端側には、図６に示すように固定ネジ１６が螺合するメネジ部１７ａが形成されている。
【００３１】
前面パネル５は、図４および図５に示すように、ＹＺ平面と平行に形成された矩形状の前面部５ｂと、前面部５ｂの４辺からＸ２方向（後面側）に向かって直立するように形成された４つの側面部５ｃとを備えた略箱状に形成されている。前面部５ｂの上端側には、上述したディスク挿入孔５ａがＹ方向を長手方向とする扁平な細長状に形成されている。
また、ディスク挿入孔５ａの下側には、ディスク駆動装置１の前面側からディスプレイ９の視認が可能となるように開口したディスプレイ９用の開口部５ｄが矩形状に形成されている。
【００３２】
前面部５ｂの前面（Ｘ１方向側の面）５ｂ１には、上述した操作ボタン１２、１３が取り付けられている。より具体的には、操作ボタン１２、１３は、開口部５ｄよりもＹ２方向側で、かつ上側からこの順番に取り付けられている。また、前面部５ｂにおける操作ボタン１３の下側には、つまみ１４を取り付けるためのつまみ取付部５ｅが形成されている。このつまみ取付部５ｅの詳細については後述する。
【００３３】
前面部５ｂの後面（Ｘ２方向側の面）５ｂ２には、操作ボタン１２、１３やつまみ１４が接続される操作基板１８が固定されている。より具体的には、操作基板１８は、開口部５ｄよりもＹ２方向側で、操作ボタン１２、１３やつまみ１４の取付位置に対応するように、後面５ｂ２に固定されている。この操作基板１８は、矩形状でかつ扁平形状に形成され、その後面側（Ｘ２方向側）には、筐体側基板１５に固定された筐体側コネクタ１５ａに接続されるコネクタ１８ａ（以下では、パネル側コネクタ１８ａとする。）が固定されている。また、操作基板１８には、固定ネジ１６を挿通するため、Ｘ方向に貫通する丸孔状の挿通孔１８ｂが形成されている。
【００３４】
つまみ取付部５ｅは、図６に示すように、前面部５ｂの前面５ｂ１から後面５ｂ２に向かってすり鉢状に窪むように形成されている。このつまみ取付部５ｅには、固定ネジ１６を挿通するためのネジ挿通孔５ｅ１と、操作基板１８に取り付けられた音量調整用のボリューム１９が配置されるボリューム配置孔５ｅ２とが、前面５ｂ１から後面５ｂ２まで貫通するように形成されている。より具体的には、ネジ挿通孔５ｅ１とボリューム配置孔５ｅ２とはともに丸孔となっている。また、ネジ挿通孔５ｅ１が、ボリューム配置孔５ｅ２よりも小径に形成されるとともに、ボリューム配置孔５ｅ２の上側に形成されている。
【００３５】
ネジ挿通孔５ｅ１は、図６に示すように、操作基板１８の挿通孔１８ｂに連通するように、挿通孔１８ｂとほぼ同じ大きさの径で形成されている。また、ネジ挿通孔５ｅ１の径方向外側には、補強用のボス部５ｅ３が形成されている。
【００３６】
ボリューム１９は、半田付け等の取付手段によって、操作基板１８の前面側に取り付けられている。このボリューム１９は、Ｘ１方向に向かって突出する突起状のボリューム操作部１９ａを備えており、このボリューム操作部１９ａを回転させて音量調整をするようになっている。また、ボリューム操作部１９ａには、つまみ１４が取り付けられるようになっている。
【００３７】
つまみ１４は、図６に示すように、円柱形状に形成されたつまみ部１４ａと、扁平な円柱形状に形成された鍔部１４ｂと、円筒形状に形成された取付部１４ｃとがこの順番でＸ１方向から配置されて構成されている。このつまみ１４は、ボリューム１９のボリューム操作部１９ａに対して抜き差しが容易となっている。すなわち、筐体４の前面側に前面パネル５が固定された状態であっても、つまみ１４は、前面パネル５（より具体的には、ボリューム操作部１９ａ）から容易に取り外すことができ、また、前面パネル５（より具体的には、ボリューム操作部１９ａ）へ容易に取り付けることができるようになっている。
【００３８】
つまみ部１４ａは、ユーザが容易につまむことができるように、比較的大径の円柱形状に形成されている。鍔部１４ｂの外径は、図４および図６に示すように、Ｘ方向から見て円形状に形成されたつまみ取付部５ｅの外周縁５ｅ４の径よりも大きくなるように形成されており、鍔部１４ｂは、図１に示すように前面パネル５の前面側に配置されるようになっている。取付部１４ｃの外径は、つまみ取付部５ｅのボリューム配置孔５ｅ２に挿入可能となる大きさとなっており、つまみ部１４ａの外径よりも小さくなっている。また、取付部１４ｃには、そのＸ２方向端からＸ１方向に向かって、ボリューム操作部１９ａが挿通される挿通孔１４ｄが形成されている。
【００３９】
固定ネジ１６は、ネジ挿通孔５ｅ１および操作基板１８の挿通孔１８ｂに挿通されるとともに、ネジ挿通孔５ｅ１および挿通孔１８ｂから抜け落ちないように構成されている。より具体的には、前面部５ｂの前面側（Ｘ１方向側）からネジ挿通孔５ｅ１および挿通孔１８ｂに固定ネジ１６が挿通された後に、操作基板１８の後面側（Ｘ２方向側）で、固定ネジ１６に抜止部材２０が取り付けられることで、固定ネジ１６は、ネジ挿通孔５ｅ１および挿通孔１８ｂから抜け落ちないように構成されている。すなわち、前面部５ｂの前面側に位置する固定ネジ１６の頭部１６ａと、操作基板１８の後面側に位置する抜止部材２０とによって、固定ネジ１６は、ネジ挿通孔５ｅ１および挿通孔１８ｂから抜け落ちないように構成されている。
【００４０】
抜止部材２０は、Ｅ形止め輪等の止め輪やプッシュナット等の金属等の弾性を有する薄板で形成されている。この抜止部材２０の外形は、挿通孔５ｅ１および挿通孔１８ｂの径よりも大きくなっている。また、固定ネジ１６の先端側には、ボス部１７のメネジ部１７ａと螺合するネジ部１６ｂが形成されている。
【００４１】
固定ネジ１６のネジ部１６ｂがボス部１７のメネジ部１７ａと螺合し、前面パネル５が筐体４に固定された状態では、固定ネジ１６の頭部１６ａは、図６に示すように、前面部５ｂの前面５ｂ１から前面側（Ｘ１方向）へは突出しないように構成されている。また、つまみ１４が、ボリューム操作部１９ａに取り付けられた状態では、鍔部１４ｂの後面側に、固定ネジ１６の頭部１６ａが配置され、前面パネル５の前面側からは、固定ネジ１６の頭部１６ａが見えないようになっている。すなわち、固定ネジ１６は、つまみ１４が前面パネル５から取り外されると、前面パネル５の前面側に露出するようになっている。
【００４２】
以上のように、本形態では、前面パネル５のつまみ取付部５ｅ、つまみ１４、筐体側基板１５、固定ネジ１６、ボス１７、操作基板１８、ボリューム１９、および、抜止部材２０等によって、筐体４の前面側に配置される前面パネル５を筐体４に固定するパネル固定機構が構成されている。そして、前面パネル５からつまみ１４を取り外し、その状態で露出した固定ネジ１６を緩めることで、前面パネル５を筐体４から取り外すことができるようになっている。
【００４３】
（本形態の主な効果）
以上説明したように、本形態では、前面パネル５の前面５ｂ１に配設されたつまみ１４は、筐体４に前面パネル５が固定された状態で前面パネル５から取外しが可能に構成されている。また、固定ネジ１６は、つまみ１４が前面パネル５から取り外されると前面パネル５の前面側に露出されるようになっている。そのため、つまみ１４を取り外した後、前面パネル５の前面側に露出した固定ネジ１６を取り外すという簡易な構成によって、筐体４の前面側に固定された前面パネル５を筐体４から取り外すことができる。
【００４４】
また、固定ネジ１６は、つまみ１４の後面側に配置され、つまみ１４が前面パネル５から取り外されると前面パネル５の前面側に露出されるようになっている。すなわち、つまみ１４が前面パネル５に取り付けられた状態では、鍔部１４ｂによって、前面パネル５の前面側から固定ネジ１６は見えない状態になっている。そのため、ディスク駆動装置１が完成状態にあるときには、前面パネル５の前面側から固定ネジ１６は見えない状態になっており、前面パネル５の前面側のデザイン上の美観が損なわれるのを防止することができる。
【００４５】
本形態では、固定ネジ１６は、前面パネル５に形成されたネジ挿通孔５ｅ１および操作基板１８に形成された挿通孔１８ｂに挿通されるとともに、ネジ挿通孔５ｅ１および挿通孔１８ｂから抜け落ちないように構成されている。そのため、筐体４から前面パネル５を取り外した際の固定ネジ１６の紛失を防止することができる。特に、カーナビゲーション装置のように車載用のディスク駆動装置では、筐体４から前面パネル５を取り外した際に、固定ネジ１６を落下させると、車内で固定ネジ１６を探すことが困難な場合が多く、固定ネジ１６を紛失する可能性が高くなる。しかし、本形態では、固定ネジ１６がネジ挿通孔５ｅ１および挿通孔１８ｂから抜け落ちないように構成されているため、そのような問題の発生を防止することができる。
【００４６】
本形態では、前面パネル５の後面５ｂ２に、操作ボタン１２、１３やつまみ１４が接続される操作基板１８が固定されている。そのため、前面パネル５の前面５ｂ１に対する操作ボタン１２、１３やつまみ１４の配置位置の位置ずれを防止することができる。たとえば、筐体４側に操作基板が固定されている場合には、筐体４、前面パネル５あるいは操作基板の部品精度や、組立精度によっては、操作ボタン１２、１３およびつまみ１４を操作基板に適切に接続させると、前面パネル５の前面５ｂ１に対する操作ボタン１２、１３やつまみ１４の配置位置がずれるという問題が生じる。しかし、本形態のように構成することで、前面パネル５の前面５ｂ１に対する操作ボタン１２、１３やつまみ１４の配置位置の位置ずれを防止することができる。その結果、前面パネル５の前面側のデザイン上の美観が損なわれるのを防止することができる。
【００４７】
本形態では、操作基板１８は、筐体４側に固定された筐体側基板１５の筐体側コネクタ１５ａに接続されるパネル側コネクタ１８ａを備えている。そのため、筐体４への前面パネル５の固定する際に固定作業が容易になる。たとえば、筐体４側に操作基板が固定されている場合には、操作ボタン１２、１３およびつまみ１４を操作基板に適切に接続させるため、操作ボタン１２、１３およびつまみ１４をそれぞれ位置合わせする必要がある。そのため、筐体４への前面パネル５の固定作業が複雑になる。しかし、本形態のように構成することで、操作ボタン１２、１３およびつまみ１４のそれぞれの位置合わせが不要となり、その結果、筐体４への前面パネル５の固定作業が容易になる。
【００４８】
本形態では、つまみ１４が前面パネル５から取り外されると、固定ネジ１６が前面パネル５の前面側に露出するようになっている。つまみ１４は、前面パネル５の前面側の突出しているため、操作ボタン１２、１３を取り外す場合と比較して、その取外しが容易になる。したがって、固定ネジ１６を容易に露出させることができ、その結果、固定ネジ１６の取外し作業が容易になる。
【００４９】
（他の実施の形態）
上述した形態は、本発明の好適な形態の一例ではあるが、これに限定されるものではなく本発明の要旨を変更しない範囲において種々変形可能である。たとえば、上述した形態では、固定ネジ１６に取り付けられた抜止部材２０によって、固定ネジ１６が、ネジ挿通孔５ｅ１および挿通孔１８ｂから抜け落ちないように構成されている。しかし、図７に示す固定ネジ３６のように、先端側のネジ部３６ｂの径を、ネジ挿通孔５ｅ１や挿通孔１８ｂの径よりも大きく形成して、固定ネジ３６が、ネジ挿通孔５ｅ１および挿通孔１８ｂから抜け落ちないように構成しても良い。
【００５０】
また、上述した形態では、つまみ１４が前面パネル５から取り外されると、固定ネジ１６が前面パネル５の前面側に露出するように構成されている。しかし、操作ボタン１２、１３が前面パネル５から取り外されて、固定ネジ１６が前面パネル５の前面側に露出するように構成しても良い。この場合であっても、簡易な構成によって、筐体４の前面側に固定された前面パネル５を筐体４から取り外すことができる。また、ディスク駆動装置１が完成状態にあるときには、前面パネル５の前面側から固定ネジ１６は見えない状態になっているため、前面パネル５の前面側のデザイン上の美観が損なわれるのを防止することができる。
【００５１】
さらに、ディスク駆動装置は、音楽ディスク２の代わりに映像が記録された映像用のディスクが再生されるディスク駆動装置であっても良い。さらにまた、本発明の構成は、ディスプレイ９を備えていないディスク駆動装置やカーナビゲーション装置以外のディスク駆動装置に対しても適用することができる。また、ディスク駆動装置でなくても、所定の作動機構が収納された筐体と、その筐体の前面側に固定される前面パネルを備えている装置であれば、本発明を適用することができる。
【図面の簡単な説明】
【００５２】
【図１】本発明の実施の形態にかかるディスク駆動装置を示す斜視図である。
【図２】図１に示すディスク駆動装置において、筐体から前面パネルを取り外した状態を示す斜視図である。
【図３】図１に示すディスク駆動装置において、地図ディスクの交換時の状態を示す斜視図である。
【図４】図１に示す前面パネルおよび取付金具体の構成を示す分解斜視図である。
【図５】図１に示す前面パネルの後面側を示す図である。
【図６】本発明の実施の形態にかかるパネル固定機構の主要部を示す部分拡大断面図である。
【図７】本発明の他の実施の形態にかかるパネル固定機構の主要部を示す部分拡大断面図である。
【符号の説明】
【００５３】
１  ディスク駆動装置
４  筐体
５  前面パネル
５ｂ１  前面
５ｂ２  後面
５ｅ  つまみ取付部（パネル固定機構の一部）
５ｅ１  ネジ挿通孔（挿通孔）
６  地図ディスク駆動機構（作動機構）
７  音楽ディスク駆動機構（作動機構）
１４  つまみ（操作部材、パネル固定機構の一部）
１５  筐体側基板（パネル固定機構の一部）
１５ａ  筐体側コネクタ
１６  固定ネジ（パネル固定機構の一部）
１７  ボス（パネル固定機構の一部）
１８  操作基板（パネル固定機構の一部）
１８ａ  パネル側コネクタ
１９  ボリューム（パネル固定機構の一部）
２０  抜止部材（パネル固定機構の一部）
【図１】
2006318528.tif 000003
【図２】
2006318528.tif 000004
【図３】
2006318528.tif 000005
【図４】
2006318528.tif 000006
【図５】
2006318528.tif 000007
【図６】
2006318528.tif 000008
【図７】
2006318528.tif 000009